(57)【特許請求の範囲】
【請求項１】
ＰＣ鋼材の外側にはめ込まれる筒状部と、
筒状部の端部に設けられると共に、ＰＣ鋼材を把持するくさび分割片の間に挿入されて各分割片を周方向に均等に配置する突起部とを具えることを特徴とする定着くさびの均等配置治具。
【請求項２】
突起部は先端に向かうに従って細くなるテーパー状であることを特徴とする請求項１に記載の定着くさびの均等配置治具。
【請求項３】
突起部の設けられた筒状部端面は、各分割片を軸方向にも均等に配置できるように筒状部の軸方向と直交する面で構成されていることを特徴とする請求項１または２に記載の定着くさびの均等配置治具。
【発明の詳細な説明】
【０００１】
【発明の属する技術分野】
本発明は、ＰＣ構造物において、ＰＣ鋼材の端部定着用くさびの分割片を均等に配置するための治具に関するものである。特に、くさびの分割片をＰＣ鋼材の周方向および軸方向にずれることなく配置することができる治具に関するものである。
【０００２】
【従来の技術】
ＰＣ鋼より線などのＰＣ鋼材をＰＣ構造物に定着する構造として、くさびを用いた定着具が知られている。この定着具は、図３に示すように、くさび２００と、テーパー孔１２１、１３１を持つアンカーディスク１２０またはメスコーン１３０の組み合わせから構成される。
【０００３】
くさび２００は、通常２〜３つの分割片を組み合わせることで一端の径が太く、他端の径が細い円錐台状に形成されるものである。分割片を組み合わせた状態において、くさび２００の中心部には軸方向に伸びる円孔が形成される。この円孔内にてＰＣ鋼より線１００がくさび２００に把持される。また、各分割片の太径側外周には溝が形成されている。各分割片を円錐台状に組み合わせた状態において、この溝にＯリング（図示せず）をはめ込むことで各分割片がばらばらにならないように結束される。
【０００４】
端部をくさび２００で把持したＰＣ鋼より線１００は、ジャッキで所定の緊張力を付与され、くさび２００をアンカーディスク１２０またはメスコーン１３０のテーパー孔にはめ込むことで定着される。アンカーディスク１２０またはメスコーン１３０は、例えばコンクリート構造物の表面に位置するアンカープレート１１０上に配置される。なお、アンカープレートではなく、リブキャストアンカーやソケットの場合もある。
【０００５】
ところで、このようなくさびでは、ＰＣ鋼より線の軸方向、場合によっては周方向にも各分割片が不均一に配置されるという問題がある。前述したように、従来のくさびは、各分割片がＯリングで結束されることで円錐台状を保持しているだけである。そのため、図４に示すように、定着時にＯリング１４０が容易に伸び、各分割片が軸方向や周方向にずれることがある。例えば、ＰＣ鋼より線が定着具近辺で曲げ配置される（直線配置されない場合）などにおいては軸方向に分割片を均一配置することが難しく、ＰＣ鋼より線にかかる付加応力も不均一に作用する場合がある。特に、高い疲労特性が要求される斜張橋の斜材ケーブルや外ケーブルに用いられるくさびは、各分割片の均一配置に対する要求レベルが高く、ずれ防止が一層求められる。
【０００６】
一方、このようなずれ防止を目的とした従来技術として、特許文献１に記載のくさび打ち込み装置が知られている。この装置は、外筒と、外筒内にスライド自在に収納した中空の押し出し筒によって構成される。外筒の先端には、分割片同士を仮止めする板ばねと、分割片の間に位置して分割片の円周上の移動を防止するストッパーとを有する。
【０００７】
【特許文献１】特開平７−２７９９１２号公報
【０００８】
【発明が解決しようとする課題】
しかし、特許文献１に記載の技術でも次のような問題があった。
▲１▼くさび打ち込み装置の構成が複雑である。
分割片を円錐台状に組み合わせた状態に保持するため、ストッパーおよび板ばねを必要とし、部品点数が多く、装置の構成が複雑になる。
【０００９】
▲２▼くさび分割片がＯリングで結束されている場合、利用することができない。各分割片がＯリングで結束されていると、外筒先端部に配置されるストッパーはＯリングを広げることになり、Ｏリングによる分割片の結束ができなくなる。また、押し出し筒でくさびを押し込む場合、板ばねがＯリングと干渉して、円滑なくさびの押し出しを阻害したり、Ｏリングが脱落するなどの問題が生じる。
【００１０】
従って、本発明の主目的は、簡易な構成にて、各分割片を周方向または軸方向にずれなく配置してＰＣ鋼材を把持し、ＰＣ鋼材にかかる付加応力の偏りを防止できる定着くさびの均等配置治具を提供することにある。
【００１１】
また、本発明の他の目的は、くさび分割片がＯリングで結束されている場合でも支障なく用いることができ、分割片の周方向または軸方向へのずれを防止できる定着くさびの均等配置治具を提供することにある。
【００１２】
【課題を解決するための手段】
本発明は、くさびをテーパー孔に挿入する際、各分割片が均等に配置されるような治具を用いることで上記の目的を達成する。
【００１３】
すなわち、本発明治具は、ＰＣ鋼材の外側にはめ込まれる筒状部と、筒状部の端部に設けられると共に、ＰＣ鋼材を把持するくさび分割片の間に挿入されて各分割片を周方向に均等に配置する突起部とを具えることを特徴とする。
【００１４】
筒状部の先端に均等に配置された突起部を有する治具を用いることで、この突起部を各くさび分割片の間に挿入すれば、自動的に分割片は周方向に均等に配列されることになり、ずれが生じたままＰＣ鋼材を把持するといったことを解消できる。
【００１５】
本発明治具は筒状部と突起部とを有する。この筒状部は、ＰＣ鋼材を挿通することができる内径を有する。筒状部の材質は、突起部をくさびの分割片の間に挿入する際、筒状部における突起部のない側を打撃したりするので、その衝撃に十分耐えられる程度の機械的強度を持つもので構成する。
【００１６】
この筒状部において、突起部の設けられた端面は、各分割片を軸方向にも均等に配置できるように筒状部の軸方向と直交する面で構成することが好ましい。この構成により、突起部を分割片の間に挿入して治具をくさび側に打ち込んだ場合、筒状部の端面がくさびの太径側端面に当接し、各分割片が軸方向にずれることなく配列することができる。
【００１７】
一方、突起部は、筒状部の端部に突設された複数の突片である。各突起部は円筒部の周方向に均等に配列される。通常、各突起部は筒状部と同一材料で、一体に構成されている。突起部の数は、分割片同士の隙間の数に応じた数とする。たとえば、３つの分割片でくさびが構成される場合、隙間の数も３つであり、突起部の数も３つとする。
【００１８】
この突起部の形状は、先端に向かうに従って細くなるテーパー状であることが好ましい。突起部をテーパー状とすることで、分割片の間に突起部を挿入しやすく、抜きやすい。
【００１９】
上記の治具は、くさびを構成する各分割片の間に突起部を挿入し、突起部と反対側の筒状部端部を叩くなどして利用する。各分割片の間に突起部が挿入されることで、各分割片を周方向に均等に配置できる。また、突起部が設けられた筒状部端面が各分割片に当接することで、各分割片を軸方向にずれることなく配置できる。
【００２０】
この治具は、予め各分割片の間に突起部を挿入しておき、その後、この分割片をメスコーンなどのテーパー孔に挿入しても良いし、分割片をメスコーンなどのテーパー孔に挿入しておいてから、その分割片の間に突起部を挿入して用いても良い。
【００２１】
【発明の実施の形態】
以下、本発明の実施の形態を説明する。
＜治具の構成＞
図１は本発明治具を示すもので、（Ａ）はその端面図、（Ｂ）はその正面図である。この治具は、筒状部１０と、その一端側に突出される突起部２０とを有する。筒状部１０は、ＰＣ鋼より線が挿入される内径を有し、くさびの外径よりも若干小さい外径を有する円筒部材である。本例では、外径２５．４ｍｍ、内径１９．４ｍｍの機械構造用炭素鋼鋼管（ＳＴＫＭ１３Ａ）で筒状部１０を構成した。
【００２２】
この筒状部１０の一端側には、突起部２０が形成されている。本例では、３つの突起部２０を、１２０°の間隔で周方向に均等に配列している。この突起部２０も筒状部１０と同一材料で構成され、筒状部１０と一体化されている。
【００２３】
この突起部２０は、根元側の幅が広く、先端側に向かうに従って幅が細くなるテーパー形状をしている。その長さは１０ｍｍ、根元側の幅が４ｍｍ、先端側の幅が３ｍｍである。
【００２４】
そして、突起部２０が形成されている筒状部１０の一端側、つまり筒状部端面における突起部２０のない箇所は、筒状部１０の軸方向と直交する面で構成されている。
【００２５】
＜治具の利用手順＞
この治具は、次のような手順で利用する。
前提として、図３、図４で示したように、一端が太径側で他端が細径側となるくさび２００を用意する。このくさび２００は３つの分割片を組み合わせることでほぼ円錐台状に構成される。このような分割片を円錐台状に組み合わせ、その外周からＯリングをはめ込んで各分割片がばらばらにならないようにしておく。
【００２６】
図２に示すように、組み合わせた状態の各分割片（くさび２００）の隙間に治具の突起部２０を挿入する。突起部２０は先端側ほど細いテーパー状に構成されているため、分割片同士の隙間に容易に挿入することができる。この治具の隙間への挿入により、各突起部２０は筒状部１０の周方向に均等に配列されているため、各分割片も周方向に均等に配列される。
【００２７】
さらに、突起部２０を分割片の隙間に挿入させると、筒状部端面における突起部２０のない面がくさび太径側端面に当接する。この当接により、各分割片は軸方向にもずれることなく配置される。
【００２８】
この状態で、治具と組み合わされたくさび２００をメスコーン１３０にはめ込む。メスコーン１３０は、図２または図３（Ｂ）に示すように、テーパー孔１３１が形成され、そのテーパー孔１３１からＰＣ鋼より線１００が突出する状態に構成されている。
【００２９】
治具と組み合わされたくさび２００は、各分割片が周方向・軸方向のいずれにもずれがない状態でテーパー孔１３１に挿入されるため、メスコーン１３０と組み合わされた際に各分割片にずれが生じることがない。
【００３０】
そして、筒状部１０の他端側、つまり突起部のない側をハンマーなどで叩き、くさびをテーパー孔１３１内に圧入する。その後、治具をくさび２００から取り外す。
【００３１】
【発明の効果】
以上説明したように、本発明治具によれば、次の効果を奏することができる。
【００３２】
▲１▼筒状部の先端に均等に配置された突起部を有する治具を用いることで、この突起部を各くさび分割片の間に挿入すれば、自動的に分割片は周方向に均等に配列されることになり、ずれが生じたままＰＣ鋼材を把持するといった問題を解消することができる。
【００３３】
▲２▼本発明治具は、筒状部の端部に複数の突起部が形成されているという極めて簡単な構造であり、かつくさび分割片の間に突起部を挿入させるという簡潔な使用方法で分割片のずれを抑制できる。特に、くさび分割片がＯリングで結束されている場合でも、何ら支障なく本発明治具を用いることができる。
【００３４】
▲３▼突起部の形状を、先端に向かうに従って細くなるテーパー状とすることで、くさび分割片の間に突起部を容易に挿入し、かつ引き抜くことができる。
【００３５】
▲４▼突起部の設けられた筒状部端面を筒状部の軸方向と直交する面で構成することにより、各分割片を軸方向にも均等に配列することができる。
【図面の簡単な説明】
【図１】（Ａ）は本発明治具の端面図、（Ｂ）は同正面図である。
【図２】本発明治具をくさび分割片の間にはめ込んだ状態を示す説明図である。
【図３】（Ａ）はアンカーディスクを用いた定着構造の説明図、（Ｂ）はメスコーンを用いた定着構造の説明図である。
【図４】くさびを構成する分割片のズレを示す説明図である。
【符号の説明】
１０  筒状部
２０  突起部
１００  ＰＣ鋼より線
１１０  アンカープレート
１２０  アンカーディスク
１２１  テーパー孔
１３０  メスコーン
１３１  テーパー孔
１４０  Ｏリング
２００  くさび
【図１】
0003565347.tif 000002
【図２】
0003565347.tif 000003
【図３】
0003565347.tif 000004
【図４】
0003565347.tif 000005